【手続補正書】
【提出日】平成21年6月30日(2009.6.30)
【手続補正１】
【補正対象書類名】明細書
【補正対象項目名】００３２
【補正方法】変更
【補正の内容】
【００３２】
802.11bの規格に対応した無線通信を実現するインフラストラクチャモードアプリケーションがあるが、情報通信端末１は、このWLANにおいて、インフラストラクチャモードと、アドホックモードのいずれかを選択的に用いることができる。
【手続補正２】
【補正対象書類名】明細書
【補正対象項目名】００８５
【補正方法】変更
【補正の内容】
【００８５】
電源状態通知発光部３２、電源スイッチ３３、通信状態通知発光部３４、ミュージックキー３５、HOLDスイッチ４３、および、ボリュームボタン４４は、情報通信端末１の下側側面において、図７に示されるように配置されている。
【手続補正３】
【補正対象書類名】明細書
【補正対象項目名】００８８
【補正方法】変更
【補正の内容】
【００８８】
またIP電話を用いる場合、図１０に示すように、ユーザは、情報通信端末１のスピーカ２８とマイク２９の位置がユーザの耳および口元の位置に対応するように持って、情報通信端末１の各種ボタンを操作する。
【手続補正４】
【補正対象書類名】明細書
【補正対象項目名】０１３３
【補正方法】変更
【補正の内容】
【０１３３】
図１３のHOME画面４５１においては、コミュニケーションアプリケーション（Communication）４６１、音楽ツール（Music）４６３、ウェブブラウザ（WEB Browser）４６２、フォトビューア（Photo Viewer）４６４、録音ツール（Voice Memo）４６５のメニューが選択可能な状態として一覧表示されている。
【手続補正５】
【補正対象書類名】明細書
【補正対象項目名】０１４１
【補正方法】変更
【補正の内容】
【０１４１】
通信利用アプリケーション状態表示エリア２０４には、WLANのインフラストラクチャモードおよびアドホックモードが実行されるアプリケーションの実行状態に関する情報が表示される。
【手続補正６】
【補正対象書類名】明細書
【補正対象項目名】０１４４
【補正方法】変更
【補正の内容】
【０１４４】
キーボード入力モード表示エリア２０５には、キーボード上の特殊キー(例えば、ALT、NUM、SHIFT、Fnなど)の入力モードが示される。また、キーのHOLD時には、キーボード入力モード表示エリア２０５に、HOLDマークが表示される。
【手続補正７】
【補正対象書類名】明細書
【補正対象項目名】０１５１
【補正方法】変更
【補正の内容】
【０１５１】
図１４のコミュニケーションアプリケーショントップ画面４６１におけるコミュニケーションツールのツール名が選択決定されると、例えば図１５に示すようなコンタクトリスト表示画面１０２が表示される。
【手続補正８】
【補正対象書類名】明細書
【補正対象項目名】０１５２
【補正方法】変更
【補正の内容】
【０１５２】
このコンタクトリスト表示画面１０２のコンテンツタブ表示エリア１０３には、リスト等表示エリア１０４に表示される情報をユーザが選択したり、各種操作を指令することができるように、複数のタブが表示される。ユーザは、４方向キー２６の左右キーを用いて、複数のタブのうちの所望のものを選択し、決定ボタン２７により決定することができるようになされている。
【手続補正９】
【補正対象書類名】明細書
【補正対象項目名】０１５３
【補正方法】変更
【補正の内容】
【０１５３】
選択決定されたタブは、中央の選択タブ表示エリア１０５に表示される。
【手続補正１０】
【補正対象書類名】明細書
【補正対象項目名】０１５４
【補正方法】変更
【補正の内容】
【０１５４】
コンテンツタブ表示エリア１０３に表示されるタブには、例えば、通信可能な登録ユーザのリストを表示させるためのContact Listタブがあり、そのContact Listタブが選択されると、リスト表示等エリア１０４には、図１５に示すような通信可能な登録ユーザの一覧が表示される。
【手続補正１１】
【補正対象書類名】明細書
【補正対象項目名】０１５６
【補正方法】変更
【補正の内容】
【０１５６】
なおコンテンツタブ表示エリア１０３に表示されるタブにはまた、通信可能な登録ユーザのリストまたは電話番号のリストを表示させ、選択決定された相手にIP電話を発信する処理の操作入力を行わせるためのDialタブ、Call中画面の設定処理を行うためのCallタブ、チャットのためのテキスト入力を行うためのテキスト入力エリアと、チャット相手が入力したテキストの表示エリアを表示させるためのChatタブ、発着信履歴を表示させるためのCall Listタブ、各種設定を行うための設定画面を表示させるためのSettingタブ、自分自身のステータスなどを表示させるためのStartタブなどがある。
【手続補正１２】
【補正対象書類名】明細書
【補正対象項目名】０１６５
【補正方法】変更
【補正の内容】
【０１６５】
この例の場合、Music Search６３１、Streaming６３２、Now Playing６３３、All Tracks６３４、My Playlist６３５の各メニューを、ユーザは、４方向キー２６および決定ボタン２７を用いて選択決定することができるようになされている。
【手続補正１３】
【補正対象書類名】明細書
【補正対象項目名】０１７４
【補正方法】変更
【補正の内容】
【０１７４】
図２０に、楽曲データ再生中の情報通信端末１の表示部２１に表示される楽曲データ再生表示画面５１５を示す。楽曲データ再生表示画面５１５には、例えば、楽曲データのタイトル名、アーティスト名、アルバム名、または、アルバム等のジャケットのサムネイル画像などの、コンテンツに関する情報が表示される。
【手続補正１４】
【補正対象書類名】明細書
【補正対象項目名】０１９６
【補正方法】変更
【補正の内容】
【０１９６】
このとき、ストリーム再生中の情報通信端末１−１の表示部２１には、図２０に示した楽曲データ再生表示画面５１２が表示される。楽曲データ再生表示画面５１５には、例えば、楽曲データのタイトル名、アーティスト名、アルバム名、または、アルバム等のジャケットのサムネイル画像などの、コンテンツに関する情報以外にも、さらに、ストリーミングデータの供給元（ここでは、ユーザＢ）に関する情報などを表示するようにしてもよい。
【手続補正１５】
【補正対象書類名】明細書
【補正対象項目名】０２０２
【補正方法】変更
【補正の内容】
【０２０２】
楽曲データ再生時には、図２０を用いて説明した場合と同様の楽曲データ再生表示画面５１５が表示される。
【手続補正１６】
【補正対象書類名】明細書
【補正対象項目名】０２０４
【補正方法】変更
【補正の内容】
【０２０４】
図１８のメニュー画面５０１においてMy Playlist６３５が選択された場合、ユーザの操作入力に基づいて作成される、楽曲データなどのコンテンツのリストが表示される。
【手続補正１７】
【補正対象書類名】明細書
【補正対象項目名】０２５０
【補正方法】変更
【補正の内容】
【０２５０】
この再生INFOパネル８０１−２は、例えば、楽曲データのタイトル名、アーティスト名、アルバム名、または、アルバム等のジャケットのサムネイル画像などの再生状態に応じた情報を含んで構成される。なおこの情報は、基本的には、図２０に示した楽曲データ再生表示画面５１５に表示される情報と同様のものである。
【手続補正１８】
【補正対象書類名】明細書
【補正対象項目名】０２６５
【補正方法】変更
【補正の内容】
【０２６５】
ステップＳ５において、INFOパネル生成部９０５は、ショートカット制御部９０２から供給された、実行されている通信機能の通信状態に応じた通信INFOパネル８０１−１を生成し、表示モジュール１４２に供給する。これにより表示モジュール１４２は、INFOパネル生成部９０５から供給された通信INFOパネル８０１−１を、表示部２１に表示させる（図２７の矢印Ａ，Ｃ，Ｅ）。
【手続補正１９】
【補正対象書類名】明細書
【補正対象項目名】０２７３
【補正方法】変更
【補正の内容】
【０２７３】
ステップＳ１０において、INFOパネル生成部９０５は、ショートカット制御部９０２から供給された、実行されている再生機能の再生状態に応じた再生INFOパネル８０１−２を生成し、表示モジュール１４２に供給する。これにより表示モジュール１４２は、INFOパネル生成部９０５から供給された再生INFOパネル８０１−２を、表示部２１に表示させる（図２７の矢印Ｂ，Ｄ）。なお図２７の例におけるINFOパネル８０１−１Ｃの表示処理については、省略する。
【手続補正２０】
【補正対象書類名】図面
【補正対象項目名】図１５
【補正方法】変更
【補正の内容】
【図１５】
2008009896.tif 000001